(57)【要約】【課題】  バドミントン競技における左右の足の機能の違いを考慮し、左右の足それぞれに最適なシャンク効果を発揮できるシャンクを提供する。【解決手段】  スポーツシューズに使用されるシャンクであって、少なくとも、土踏まず下に配置される土踏まず部１０３と、踵下に配置される踵部１０２と、を備え、前記土踏まず部１０３及び踵部１０２はいずれも、断面視、当該シャンクを構成する部材が上下に分岐して合流するという構成によって中空部を有し、前記土踏まず部１０３は、断面視、一方面側が他方面側に比べて凸状に膨らんで構成され、前記踵部１０２は、断面視、他方面側が一方面側に比べて凸状に膨らんで構成され、当該構造のシャンクを左右一対のバドミントンシューズに表裏反転させて組み込む。【選択図】図１
2018057578.tif 000002
【特許請求の範囲】
【請求項１】
スポーツシューズに使用されるシャンクであって、
少なくとも、土踏まず下に配置される土踏まず部と、踵下に配置される踵部と、が一体形成されており、
前記土踏まず部及び踵部はいずれも、断面視、当該シャンクを構成する部材が上下に分岐して合流するという構成によって中空部を有し、
前記土踏まず部は、断面視、一方面側が他方面側に比べて凸状に膨らんで構成され、
前記踵部は、断面視、他方面側が一方面側に比べて凸状に膨らんで構成される
ことを特徴とする両面使用シャンク。
【請求項２】
左右一対のスポーツシューズであって、
一方側の靴に組み込まれたシャンクが、他方側に表裏反転させて組み込まれている
ことを特徴とする一対のスポーツシューズ。
【請求項３】
左右一対のバドミントン用シューズであって、
ラケットを右手で把持してプレイする右利きプレイヤーの右足側の靴には、請求項１記載のシャンクの前記一方面側が上面となるように組み込まれ、
左足側の靴には、請求項１記載のシャンクの前記他方面側が上面となるように組み込まれる
ことを特徴とする一対のバドミントン用シューズ。
【請求項４】
左右一対のバドミントン用シューズであって、
ラケットを左手で把持してプレイする左利きプレイヤーの左足側の靴には、請求項１記載のシャンクの前記一方面側が上面となるように組み込まれ、
右足側の靴には、請求項１記載のシャンクの前記他方面側が上面となるように組み込まれる
ことを特徴とする一対のバドミントン用シューズ。
【請求項５】
左右一対のラケット競技用シューズであって、
ラケットを右手で把持してプレイする右利きプレイヤーの右足側の靴には、請求項１記載のシャンクの前記一方面側が上面となるように組み込まれ、
左足側の靴には、請求項１記載のシャンクの前記他方面側が上面となるように組み込まれる
ことを特徴とする一対のラケット競技用シューズ。
【請求項６】
左右一対のラケット競技用シューズであって、
ラケットを左手で把持してプレイする左利きプレイヤーの左足側の靴には、請求項１記載のシャンクの前記一方面側が上面となるように組み込まれ、
右足側の靴には、請求項１記載のシャンクの前記他方面側が上面となるように組み込まれる
ことを特徴とする一対のラケット競技用シューズ。
【発明の詳細な説明】
【技術分野】
【０００１】
本発明は、靴の技術分野に関し、特に詳しくは、バドミントンなど左右の足の使い方に大きな差のあるスポーツにおいて使用される靴のシャンクに関するものである。
【背景技術】
【０００２】
従来から、靴の分野においてシャンク効果（足のアーチを支え、体重がかかっても底に歪み・曲がりを生じさせない役割など）の発揮を目的として種々のシャンクが用いられている。
【０００３】
特に、スポーツシューズの分野においては、一般的なシャンク効果に加えて、クッション性の向上を図ったもの（例えば特許文献１）、靴全体の軽量化に寄与するもの（例えば特許文献２）、更には、シャンク自体を外部から視認できるよう露出させることにより、機能性のみならず見た目の良さを図るものなど様々である。
【先行技術文献】
【特許文献】
【０００４】
【特許文献１】特開２００７−１３６１４５号公報
【特許文献２】特開２００５−１８５３０６号公報
【発明の概要】
【発明が解決しようとする課題】
【０００５】
ところでバドミントン競技は、利き手（ラケットを把持する側の手）によって左右の足の役割に明確な差が生じるのが特徴的なスポーツである。例えば、右利きの場合、左足を軸にした定位置から、相手方から打ち込まれたシャトルに追いつくため、右足を前後左右に大きく踏み込みつつ右手に把持したラケットでシャトルを打ち返す動作、及び、次の動作に備えて定位置に戻るための切り返し動作が繰り返される傾向にある。また、高い位置のシャトルを打ち返したり、強いショットを打つためのジャンプ動作が発生した場合には、利き手とは反対側の足（左足）で着地し、次の動作に備えることとなる。なお、左利きの場合は足の動作も左右逆となる。また、本明細書では、ラケットを把持する側の手を「利き手」といい、利き手と同じ側の足を「利き手側足」と表現する（例えば、右手が利き手の場合、利き手側足は右足となる。）
【０００６】
右足（利き手側足）は大きく踏み込まれることから、どうしても踵からの着地となる。その結果、右足（利き手側足）側の靴裏がフロア面に着地する順序としては、足の後方（踵側）→前方（指側）の順となる。即ち、右足（利き手側足）の後方（踵側）には踏み込み時に発生する衝撃を吸収する機能が求められる。加えて、着地後は、次の動作へ向けた切り返しのために、右足（利き手側足）の前方に反発性（足を地面から離す方向の力）が求められる傾向にある。
【０００７】
一方、ジャンプ動作後に着地する際の左足（非利き手側足）は、足の前方（指乃至母指球）→後方（踵側）の順となる。即ち、左足（非利き手側足）の前方には着地時に発生する衝撃を吸収する機能が求められる。加えて、着地後は、次の動作のために、左足（非利き手側足）の後方に反発性（足を地面から離す方向の力）が求められる傾向にある。
【０００８】
運動時の筋疲労は、繰り返されるストレスが蓄積することで生じることが知られている。また、ストレスが過度に蓄積するとスポーツ障害（足底筋膜炎、アキレス腱炎、肉離れ、疲労骨折など）を誘発することも知られている。特にバドミントン競技では、上記の通り、右足と左足はそれぞれ異なる動作を繰り返すためストレス蓄積の度合いは相対的に大きいものとなる。
【０００９】
バドミントン競技においても、専用の靴が存在し、その専用靴にもシャンクが利用されているが、上記説明したバドミントン競技における左右の足の明確な役割の差が全く考慮されておらず、使用されているシャンクは、左右の靴において同様の機能を発揮する目的で設計され使用されているに過ぎなかった。即ち、バドミントン競技における左右の足の機能を十分考慮して、当該機能を補助したり、更に、そういった特殊な使い方がされる足を十分に保護できているものではなかった。
【００１０】
そこで本発明は、上記問題点を解決するべくなされたものであって、バドミントン競技における左右の足の機能の違いを考慮し、左右の足それぞれに最適なシャンク効果を発揮できるシャンクを提供することをその課題としている。
【課題を解決するための手段】
【００１１】
上記課題を解決するべく、本願発明は、スポーツシューズに使用されるシャンクであって、少なくとも、土踏まず下に配置される土踏まず部と、踵下に配置される踵部と、を備え、前記土踏まず部及び踵部はいずれも、断面視、当該シャンクを構成する部材が上下に分岐して合流するという構成によって中空部を有し、前記土踏まず部は、断面視、一方面側が他方面側に比べて凸状に膨らんで構成され、前記踵部は、断面視、他方面側が一方面側に比べて凸状に膨らんで構成されることを特徴とする。
【００１２】
本発明は、単に、左右のシャンクが発揮する機能を、左右の足毎に異ならせたという単純なものではない。一方側の靴に使用する上記構造のシャンクを、表裏反転させて（ひっくり返して）他方側の靴に組み込んで使用することにより、左右の足でそれぞれ求められる異なるシャンク効果を発揮させることを実現しているのである。更に、左右のシャンクは全く同じものを反転させて使用するので、同じ「型」で製造可能となり、大幅にコストも削減可能となっている。
【００１３】
要するに、発明を広く捉えるならば、左右一対のスポーツシューズであって、一方側の靴に組み込まれたシャンクが、他方側に表裏反転させて組み込まれていることを特徴とする一対のスポーツシューズとなる。
【００１４】
より具体的に、上記構造のシャンクをバドミントン用シューズに組み込むと、ラケットを右手で把持してプレイする右利きプレイヤーの右足側の靴には、当該シャンクの前記一方面側が上面となるように組み込まれ、左足側の靴には、当該シャンクの前記他方面側が上面となるように組み込まれることを特徴とする一対のバドミントン用シューズ、若しくは、ラケットを左手で把持してプレイする左利きプレイヤーの左足側の靴には、当該シャンクの前記一方面側が上面となるように組み込まれ、右足側の靴には、当該シャンクの前記他方面側が上面となるように組み込まれることを特徴とする一対のバドミントン用シューズの発明と捉えることができる。
【００１５】
また、バドミントン以外のラケット競技用シューズとして利用することも出来るため、ラケットを右手で把持してプレイする右利きプレイヤーの右足側の靴には、当該シャンクの前記一方面側が上面となるように組み込まれ、左足側の靴には、当該シャンクの前記他方面側が上面となるように組み込まれることを特徴とする一対のラケット競技用シューズ、若しくは、ラケットを左手で把持してプレイする左利きプレイヤーの左足側の靴には、当該シャンクの前記一方面側が上面となるように組み込まれ、右足側の靴には、当該シャンクの前記他方面側が上面となるように組み込まれることを特徴とする一対のラケット競技用シューズの発明と捉えることができる。
【発明の効果】
【００１６】
本発明を適用することで、バドミントン競技（ラケット競技）における左右の足の機能の違いを考慮し、左右の足それぞれに最適なシャンク効果を発揮できるシャンク、及び当該シャンクを備えた一対のスポーツシューズを提供することができ、結果として、筋疲労の抑制やスポーツ障害予防効果を高い次元で発揮させることができる。
【図面の簡単な説明】
【００１７】
【図１】本発明に係る両面使用シャンクが一対のスポーツシューズに配置されている状態を示した平面概略構成図である。
【図２】本発明の実施形態の一例として示す両面使用シャンクであって、一方面側（Ａ面側）を上にした状態（右利きプレイヤーの右足用）の平面図である。
【図３】（Ａ）は図２における矢視ＩＩ−ＩＩ線に沿う端面図、（Ｂ）は図２における矢視ＩＩＩ−ＩＩＩ線に沿う端面図である。
【図４】本発明の実施形態の一例として示す両面使用シャンクであって、他方面側（Ｂ面側）を上にした状態（右利きプレイヤーの左足用）の平面図である。
【図５】（Ａ）は図４における矢視ＩＶ−ＩＶ線に沿う端面図、（Ｂ）は図４における矢視Ｖ−Ｖ線に沿う端面図である。
【図６】本発明の実施形態の一例として示す両面使用シャンクの斜視図である。
【発明を実施するための形態】
【００１８】
以下、添付図面を参照しつつ、本発明の実施形態の一例である両面使用シャンク１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈両面使用シャンクの構成〉
図１において示しているように、本発明に係る両面使用シャンク１００は、平面視すると略「Ｕ」字型に一体成形されて構成される。材質は特に限定されるものではないが、合成樹脂を用いるのが、コスト、軽量性、耐久性等を考慮すれば最も現実的である。
【００２０】
両面使用シャンク１００（以下単に「シャンク１００」と表現する場合がある。）は、単一のシャンクの表裏をそのまま反転させて（ひっくり返して）左右のシャンクとして使用される。例えば、図１における左右の靴１０、１２に組み込まれているシャンク１００は、全く同じもの（シャンク）が表裏反転されて組み込まれて構成される。なお、以下、理解容易を目的に、この右足用の靴１０において組み込まれているシャンク１００の上面側を「Ａ面」と表現し、左足用の靴１２において組み込まれているシャンク１００の上面側を「Ｂ面」と表現する。また、この「Ａ面」は、特許請求の範囲における「一方面」に相当し、「Ｂ面」は、特許請求の範囲における「他方面」に相当する。
【００２１】
両面使用シャンク１００は、踵部１０２と、土踏まず部１０３と、踏み付け部１０４とから構成される。踵部１０２は、足の踵の位置下に配置される部分である。土踏まず部１０３は、足の土踏まず（アーチ）の位置下に配置される部分である。踏み付け部１０４は、足の土踏まずより前方の位置下に配置される部分である。
【００２２】
まず、右手でラケットを把持してプレイする右利きプレイヤーの「右足」に組み込まれる状態を前提に、図２及び図３を参照しつつ、シャンク１００の構造を詳しく説明する。
【００２３】
図２に示している通り、シャンク１００は、踵部プレート１０５に対して内側土踏まずプレート１０６及び外側土踏まずプレート１０８がそれぞれ一体形成されている。内側土踏まずプレート１０６と外側土踏まずプレート１０８との間には、所定の空間を有するように分離して構成される。
【００２４】
更に、内側土踏まずプレート１０６に連続して内側踏み付けプレート１０７が一体形成されている。また、外側土踏まずプレート１０８に連続して外側踏み付けプレート１０９が一体形成されている。
【００２５】
上記のように、踵部１０２は、踵部プレート１０５により構成される。また、土踏まず部１０３は、内側土踏まずプレート１０６及び外側土踏まずプレート１０８により構成される。また、踏み付け部１０４は、内側踏み付けプレート１０７及び外側踏み付けプレート１０９により構成される。
【００２６】
図３に示しているように、当該シャンク１００を矢視線に沿って切断した端面から明らかな通り、踵部プレート１０５、内側土踏まずプレート１０６、内側踏み付けプレート１０７、外側土踏まずプレート１０８及び外側踏み付けプレート１０９には、それぞれ、当該プレートを構成する部材が上下に分岐して合流するという構成によって中空部１０５ｃ、１０６ｃ、１０７ｃ、１０８ｃ、１０９ｃを備える。
【００２７】
プレート毎に見ていくと、踵部プレート１０５は、Ａ面側を構成し且つ略平坦な形状とされたＡ面側踵部プレート１０５ａと、Ｂ面側を構成し且つ凸状（弓なり状に）に膨らんで構成されたＢ面側踵部プレート１０５ｂの間に、中空部１０５ｃが形成されている。
【００２８】
同様に、内側土踏まずプレート１０６は、Ａ面側を構成し且つ凸状（弓なり状に）に膨らんで構成されたＡ面側内側土踏まずプレート１０６ａと、Ｂ面側を構成し且つ略平坦な形状とされたＢ面側内側土踏まずプレート１０６ｂの間に、中空部１０６ｃが形成されている。
【００２９】
同様に、内側踏み付けプレート１０７は、Ａ面側を構成し且つ凸状（弓なり状に）に膨らんで構成されたＡ面側内側踏み付けプレート１０７ａと、Ｂ面側を構成し且つＡ面側と同程度に凸状（弓なり状に）に膨らんで構成されたＢ面側内側踏み付けプレート１０７ｂの間に、中空部１０７ｃが形成されている。
【００３０】
同様に、外側土踏まずプレート１０８は、Ａ面側を構成し且つ凸状（弓なり状に）に膨らんで構成されたＡ面側外側土踏まずプレート１０８ａと、Ｂ面側を構成し且つ略平坦な形状とされたＢ面側外側土踏まずプレート１０８ｂの間に、中空部１０８ｃが形成されている。
【００３１】
同様に、外側踏み付けプレート１０９は、Ａ面側を構成し且つ凸状（弓なり状に）に膨らんで構成されたＡ面側外側踏み付けプレート１０９ａと、Ｂ面側を構成し且つＡ面側と同程度に凸状（弓なり状に）に膨らんで構成されたＢ面側外側踏み付けプレート１０９ｂの間に、中空部１０９ｃが形成されている。
【００３２】
なお、右手でラケットを把持してプレイする右利きプレイヤーの「左足」に組み込まれる状態は、図４及び５の状態となるが、物としては同一物であるため、重複説明は省略する。
【００３３】
〈両面使用シャンクの作用・機能〉
上記構成で説明した通り、踵部１０２を構成する踵プレート１０５は、Ａ面側が平坦且つＢ面側が膨らんで構成されていた。その結果、Ａ面側を上にしたとき（即ち、利き手側足に組み込まれたとき）は、当該構成により、踵に加わる衝撃を効果的に緩衝することが可能となる。一方、Ｂ面側を上にしたとき（即ち、非利き手側足に組み込まれたとき）は、当該構成により踵に対して効果的に反発力（踵を地面から離そうとする力）を与えることができる。即ち、踵から着地する利き手側足に組み込まれた際には、踵の衝撃を効果的に緩衝し、踵から着地しない非利き足側に組み込まれた際には、次の動作へ向けた足の動きを補助する（踵を反発力により押し上げる）効果を発揮することができる。
【００３４】
また、上記構成で説明した通り、土踏まず部１０３を構成する内側土踏まずプレート１０６及び外側土踏まずプレート１０８は、Ｂ面側が平坦且つＡ面側が膨らんで構成されている。その結果、Ａ面側を上にしたとき（即ち、利き手側足に組み込まれたとき）は、当該構成により、土踏まず（アーチ）に対して効果的に反発力（土踏まず（アーチ）を地面から離そうとする力）を与えることが可能となる。一方、Ｂ面側を上にしたとき（即ち、非利き手側足に組み込まれたとき）は、当該構成により、土踏まず（アーチ）に加わる衝撃を効果的に緩衝することが可能となる。即ち、足の前方から着地する非利き手側足に組み込まれた際には、土踏まずに加わる衝撃を効果的に緩衝し、足の前方から着地しない利き足側に組み込まれた際には、次の動作へ向けた足の動きを補助する（土踏まず（アーチ）を反発力により押し上げる）効果を発揮することができる。
【００３５】
上記の通り、本発明は、単に、左右のシャンクが発揮する機能を、左右の足毎に異ならせたという単純なものではない。一方側の靴に使用する上記構造のシャンクを、表裏反転させて（ひっくり返して）他方側の靴に組み込んで使用することにより、左右の足でそれぞれ求められる異なるシャンク効果を単一のシャンクで発揮している点が最大のポイントとなる。このように、左右のシャンクは全く同じものを反転させて使用するので、同じ「型」で製造可能となり、大幅にコストも削減可能となる。
【００３６】
〈その他の構成例〉
上記では、右手にラケットを把持してプレイする右利きプレイヤーを前提に説明している。もちろん、左利きプレイヤーでも、上記同様の構成をそっくり左右反転させて構成することによって同様の効果を発揮させることができる。なお、重複説明となるので、左利きプレイヤーを前提とした説明は省略する。
【００３７】
上記では、バドミントン競技を例に説明しているが、それ以外の競技（例えば、テニス、卓球、スカッシュなど）であっても、足の使い方に明確な左右差が生じやすい競技で使用する靴のシャンクとして広く利用することができる。
【符号の説明】
【００３８】
１０・・・靴（右足用）
１２・・・靴（左足用）
１００・・・両面使用シャンク
１０２・・・踵部
１０３・・・土踏まず部
１０４・・・踏み付け部
１０５・・・踵部プレート
１０５ａ・・・Ａ面側踵部プレート
１０５ｂ・・・Ｂ面側踵部プレート
１０５ｃ・・・中空部
１０６・・・内側土踏まず部プレート
１０６ａ・・・Ａ面側内側土踏まず部プレート
１０６ｂ・・・Ｂ面側内側土踏まず部プレート
１０６ｃ・・・中空部
１０７・・・内側踏み付け部プレート
１０７ａ・・・Ａ面側内側踏み付け部プレート
１０７ｂ・・・Ｂ面側内側踏み付け部プレート
１０７ｃ・・・中空部
１０８・・・外側土踏まず部プレート
１０８ａ・・・Ａ面側外側土踏まず部プレート
１０８ｂ・・・Ｂ面側外側土踏まず部プレート
１０８ｃ・・・中空部
１０９・・・外側踏み付け部プレート
１０９ａ・・・Ａ面側外側踏み付け部プレート
１０９ｂ・・・Ｂ面側外側踏み付け部プレート
１０９ｃ・・・中空部
【図１】
2018057578.tif 000003
【図２】
2018057578.tif 000004
【図３】
2018057578.tif 000005
【図４】
2018057578.tif 000006
【図５】
2018057578.tif 000007
【図６】
2018057578.tif 000008